(57)【要約】【課題】少量の殺菌水により便器の内壁全体を殺菌することができる殺菌水噴射装置、及び殺菌水噴射装置が装着されたビデと便座を提供する。【解決手段】殺菌噴射装置100は、殺菌水が流入する流入口122と、流入口122を通じて流入する殺菌水に渦流を発生させる円筒状の渦流発生室130と、渦流発生室130の底面の中心に配置され、渦流発生室130で渦流が発生した殺菌水を便器10の内壁に噴射する噴射ホール141とを含む。本発明によると、微細粒子の形態で殺菌水を噴霧するため、少量でも殺菌効果を高めることができ、また、殺菌水の噴射角と噴射速度が大きい１つの噴射装置を用いることによって、構成が簡単で費用の節減になる。【選択図】図２
2010242486.tif 000002
【特許請求の範囲】
【請求項１】
殺菌水が流入する流入口(122)と、
前記流入口(122)を通じて流入する殺菌水に渦流を発生させる円筒状の渦流発生室(130)と、
前記渦流発生室(130)の底面の中心に配置され、前記渦流発生室(130)で渦流が発生した殺菌水を便器(10)の内壁に噴射する噴射ホール(141)と、
を含む殺菌水噴射装置。
【請求項２】
前記渦流発生室(130)の殺菌水は、前記噴射ホール(141)を通じて微細粒子の形態で噴霧されることを特徴とする請求項１に記載の殺菌水噴射装置。
【請求項３】
前記渦流発生室(130)には、側壁から内部に延長する案内溝(125)が形成されており、前記案内溝(125)は、前記渦流発生室(130)の中心から離隔されたところに向けて延長して、殺菌水が前記案内溝(125)に沿って前記渦流発生室１３０の内部に流入するにつれて、前記渦流発生室(130)の中心に対して回転する渦流が発生することを特徴とする請求項１に記載の殺菌水噴射装置。
【請求項４】
前記案内溝(125)は、側壁から内部に行くほど幅が狭くなることを特徴とする請求項３に記載の殺菌水噴射装置。
【請求項５】
前記案内溝(125)は、前記渦流発生室(130)の中心に対して対称に複数形成されることを特徴とする請求項３に記載の殺菌水噴射装置。
【請求項６】
前記噴射ホール(141)を通じて噴射される殺菌水が１００°以上の噴射角で噴射されることを特徴とする請求項１に記載の殺菌水噴射装置。
【請求項７】
前記渦流発生室(130)の高さ(A)は、０．１ｍｍ以上０．３ｍｍ以下であることを特徴とする請求項１に記載の殺菌水噴射装置。
【請求項８】
前記噴射ホール(141)の長さ(B)は、０．１ｍｍ以上０．３ｍｍ以下であることを特徴とする請求項１に記載の殺菌水噴射装置。
【請求項９】
前記噴射ホール(141)の直径(C)は、０．１ｍｍ以上１．５ｍｍ以下であることを特徴とする請求項１に記載の殺菌水噴射装置。
【請求項１０】
前記案内溝(125)の幅(D)は、０．１ｍｍ以上０．７ｍｍ以下であることを特徴とする請求項３に記載の殺菌水噴射装置。
【請求項１１】
前記噴射ホール(141)は、その大きさが前記流入口(122)よりも小さいことを特徴とする請求項１に記載の殺菌水噴射装置。
【請求項１２】
前記渦流発生室(130)内の殺菌水の圧力は、１．２ｋｇ／ｃｍ２以上５ｋｇ／ｃｍ２以下であることを特徴とする請求項１１に記載の殺菌水噴射装置。
【請求項１３】
請求項１乃至１２のうちいずれか１項に記載の殺菌水噴射装置(100)と、前記殺菌水噴射装置(100)に殺菌水を供給する殺菌水生成装置(200)と、を含むビデ。
【請求項１４】
前記殺菌水生成装置(200)は、電極方式により殺菌水を生成することを特徴とする請求項１３に記載のビデ。
【請求項１５】
使用者の局部に水を噴射するノズルアセンブリー(60)と、前記ノズルアセンブリー(60)のノズルチップを洗浄するノズルチップ洗浄部(66)とをさらに含み、
前記殺菌水生成装置(200)は、前記殺菌水噴射装置(100)と前記ノズルチップ洗浄部(66)に連結されて、前記殺菌水生成装置(200)で生成された殺菌水が前記殺菌水噴射装置(100)または前記ノズルチップ洗浄部(66)に供給されることを特徴とする請求項１３に記載のビデ。
【請求項１６】
前記殺菌水噴射装置(100)にはポンプ(240)が設置され、前記ポンプ(240)により殺菌水が供給されることを特徴とする請求項１５に記載のビデ。
【請求項１７】
前記ポンプ(240)は、電動モータ(241)と、前記電動モータ(241)に連結されて回転速度を減速させるように多数のギアを備えた減速ギア部(242)と、前記減速ギア部(242)に一側が結合されて関節運動する多数のリンク部材(243)と、前記リンク部材(243)の他側に連結されて前記リンク部材(243)の関節運動により往復運動するポンピングユニット(244)と、を備え、
前記ポンピングユニット(244)は、往復運動しながら前記殺菌水生成装置(200)の殺菌水を前記殺菌水噴射装置(100)に供給することを特徴とする請求項１６に記載のビデ。
【請求項１８】
前記殺菌水噴射装置(100)は、前記噴射ホール(141)が直下方から前方に向けて傾くように設置されたことを特徴とする請求項１３に記載のビデ。
【請求項１９】
請求項１乃至１２のうちいずれか１項に記載の殺菌水噴射装置(100)と、前記殺菌水噴射装置(100)に殺菌水を供給する殺菌水生成装置(200)と、を含む便座。
【請求項２０】
前記殺菌水生成装置(200)は、溶解方式により殺菌水を生成することを特徴とする請求項１９に記載の便座。
【請求項２１】
前記殺菌水噴射装置(100)は、便座の後方に設置され、前記噴射ホール(141)が直下方から前方に向けて傾くように設置されたことを特徴とする請求項１９に記載の便座。
【発明の詳細な説明】
【技術分野】
【０００１】
本発明は、便器の内壁を殺菌するための殺菌水噴射装置、及びそれを備えたビデ及び便座に関する。
【背景技術】
【０００２】
便器は、使用者が着座して用便をするための機器であるが、最近は、衛生のためにビデが設置された便器が多く使用されている。ビデは、用便後に使用者の局部に水を噴射して局部を洗浄する装置であって、紙を使用せずに水で洗浄するため、局部を清潔に保つことができるという利点がある。
【０００３】
通常、便器には水槽、ビデ、及び操作部が設置される。使用者が用便後にレバーを押すと、便器内の水が用便とともに排出され、水槽内の水が便器に溜まるようになる。また、使用者が操作部を操作してビデを作動させると、ビデ本体内に設置されたノズルがビデ本体の前方に移動して使用者の局部に洗浄水を噴射する。
【０００４】
このように作動する便器では、便器内の用便が１回の洗浄で完全に流しきれないと、用便が便器の内部壁に固着することがあり、また便器内に常に水が溜まっていて、各種微生物が棲息及び増殖することがあるため、衛生面で好ましくない。従って、使用者は便器の内部に殺菌液や洗浄液を投入して周期的に洗浄しなければならない。
【発明の概要】
【発明が解決しようとする課題】
【０００５】
本発明はこのような従来技術の問題点を解決するために考案されたものであり、その目的は、少量の殺菌水により便器の内壁全体を殺菌することができる殺菌水噴射装置、及び殺菌水噴射装置が装着されたビデと便座を提供することにある。
【課題を解決するための手段】
【０００６】
上記目的を達成するため、本発明の第１の特徴によると、殺菌水が流入する流入口と、上記流入口を通じて流入する殺菌水に渦流を発生させる円筒状の渦流発生室と、上記渦流発生室の底面の中心に配置され、上記渦流発生室で渦流が発生した殺菌水を便器の内壁に噴射する噴射ホールと、を含む殺菌水噴射装置が提供される。
【０００７】
本発明の第２の特徴によると、上記渦流発生室の殺菌水は、上記噴射ホールを通じて微細粒子の形態で噴霧される。
【０００８】
本発明の第３の特徴によると、上記渦流発生室には、側壁から内部に延長する案内溝が形成されており、上記案内溝は、上記渦流発生室の中心から離隔されたところに向けて延長して、殺菌水が上記案内溝に沿って上記渦流発生室の内部に流入するにつれて、上記渦流発生室の中心に対して回転する渦流が発生する。
【０００９】
本発明の第４の特徴によると、上記案内溝は、側壁から内部に行くほど幅が狭くなる。
【００１０】
本発明の第５の特徴によると、上記案内溝は、上記渦流発生室の中心に対して対称に複数形成される。
【００１１】
本発明の第６の特徴によると、上記噴射ホールを通じて噴射される殺菌水が１００°以上の噴射角で噴射される。
【００１２】
本発明の第７の特徴によると、上記渦流発生室の高さＡは、０．１ｍｍ以上０．３ｍｍ以下である。
【００１３】
本発明の第８の特徴によると、上記噴射ホールの長さＢは、０．１ｍｍ以上０．３ｍｍ以下である。
【００１４】
本発明の第９の特徴によると、上記噴射ホールの直径Ｃは、０．１ｍｍ以上１．５ｍｍ以下である。
【００１５】
本発明の第１０の特徴によると、上記案内溝の幅Ｄは、０．１ｍｍ以上０．７ｍｍ以下である。
【００１６】
本発明の第１１の特徴によると、上記噴射ホールは、その大きさが流入口よりも小さい。
【００１７】
本発明の第１２の特徴によると、上記渦流発生室内の殺菌水の圧力は、１．２ｋｇ／ｃｍ２以上５ｋｇ／ｃｍ２以下である。
【００１８】
本発明の第１３の特徴によると、上記殺菌水噴射装置と、上記殺菌水噴射装置に殺菌水を供給する殺菌水生成装置を含むビデが提供される。
【００１９】
本発明の第１４の特徴によると、上記殺菌水生成装置は、電極方式により殺菌水を生成する。
【００２０】
本発明の第１５の特徴によると、上記ビデは、使用者の局部に水を噴射するノズルアセンブリーと、上記ノズルアセンブリーのノズルチップを洗浄するノズルチップ洗浄部とをさらに含み、上記殺菌水生成装置は、上記殺菌水噴射装置と上記ノズルチップ洗浄部に連結されて、上記殺菌水生成装置で生成された殺菌水が、上記殺菌水噴射装置または上記ノズルチップ洗浄部に供給される。
【００２１】
本発明の第１６の特徴によると、上記殺菌水噴射装置には、ポンプが設置され、ポンプにより殺菌水が供給される。
【００２２】
本発明の第１７の特徴によると、上記ポンプは、電動モータ、上記電動モータに連結されて回転速度を減速させるように多数のギアを備えた減速ギア部、上記減速ギア部に一側が結合されて関節運動する多数のリンク部材、上記リンク部材の他側に連結されて上記リンク部材の関節運動により往復運動するポンピングユニットを備え、上記ポンピングユニットは、往復運動しながら上記殺菌水生成装置の殺菌水を上記殺菌水噴射装置に供給する。
【００２３】
本発明の第１８の特徴によると、上記殺菌水噴射装置は、上記噴射ホールが直下方から前方に向けて傾くように設置される。
【００２４】
本発明の第１９の特徴によると、上記殺菌水噴射装置と、上記殺菌水噴射装置に殺菌水を供給する殺菌水生成装置を含む便座が提供される。
【００２５】
本発明の第２０の特徴によると、上記殺菌水生成装置は、溶解方式により殺菌水を生成する。
【００２６】
本発明の第２１の特徴によると、上記殺菌水噴射装置は、便座の後方に設置され、上記噴射ホールが直下方から前方に向けて傾くように設置される。
【発明の効果】
【００２７】
本発明によると、表面積の大きい微細粒子の形態で殺菌水を噴射するため、殺菌水が便器の内壁と接触する面積が大きくなり、少量でも殺菌効果を高めることができる。
【００２８】
また、殺菌水の噴射角と噴射速度を大きくすることによって、１つの殺菌水噴射装置により便器の内壁全面に殺菌水を噴射することができ、構成が簡単で費用の節減になる。
【図面の簡単な説明】
【００２９】
【図１】本発明の一実施形態による殺菌水噴射装置が備えられた便器の斜視図である。
【図２】本発明の一実施形態による殺菌水噴射装置の分解斜視図である。
【図３ａ】本発明の一実施形態による殺菌水噴射装置の側断面図である。
【図３ｂ】本発明の一実施形態による殺菌水噴射装置の別の側断面図である。
【図４】本発明の一実施形態による殺菌水噴射装置の胴体部の底面図である。
【図５】本発明の一実施形態による殺菌水噴射装置の給水システムの構成図である。
【図６】本発明の一実施形態による殺菌噴射装置の給水システムにおいて、ポンプの一例を図示したものである。
【図７】本発明の一実施形態による殺菌水噴射装置が、便器の内壁に殺菌水を噴霧する状態を図示したものである。
【発明を実施するための形態】
【００３０】
以下に本発明の実施形態について添付図面を参照して説明する。
【００３１】
図１は、本発明の一実施形態による殺菌水噴射装置１００が備えられた便器１０を図示したものである。
【００３２】
図１を参照すると、便器１０の上部にビデ２０が設置される。ビデ２０は、ビデ本体３０を備え、ビデ本体３０には便座４０と便蓋５０が回転可能なようにヒンジ結合される。便座４０は、使用者が着座して用便をすることができるように環状に形成され、内部には便座４０を適当な温度に加熱するヒータが配置されてもよい。便蓋５０は、便器１０を使用しない時に環状の便座４０の開放された部分を閉じることができるように、便座４０に対応する形状に形成される。
【００３３】
ビデ本体３０の内部には、ノズルアセンブリー６０と乾燥装置７０が設置される。ノズルアセンブリー６０は、肛門用洗浄ノズルと女性用ビデノズルを備えている。洗浄ノズルとビデノズルは、それぞれビデ本体３０の前方に移動可能なように設置される。洗浄ノズルとビデノズルの前端部には、それぞれ吐出口が形成されたノズルチップが装着されて、洗浄水を噴射するようになっている。
【００３４】
乾燥装置７０は、送風ファン、送風ダクト、及び加熱装置を備えており、ビデ本体３０の前方に温風を吐出することができる。
【００３５】
ビデ本体３０の一側には操作部８０が設置され、使用者は、操作部８０によりビデ２０の動作を制御することができる。即ち、用便後に洗浄ボタンまたはビデボタンを押すと、洗浄ノズルまたはビデノズルが前方に移動して使用者の局部に洗浄水を噴射するようにすることができ、洗浄後には、乾燥ボタンを押して温風が噴射されるようにすることで、局部に付着した水気を除去することができる。
【００３６】
ビデ本体３０の前方には、さらに殺菌水噴射装置１００が設置される。殺菌水噴射装置１００は、殺菌水生成装置から殺菌水の供給を受けて、便器１０の内壁に殺菌水を噴射して便器１０の内壁を殺菌する装置である。殺菌水噴射装置１００は、噴射ホールが直下方から便器１０の前方に向けて傾くようにビデ本体３０に装着されることが好ましい。便器１０の後方に位置した噴射ホールを前方に向けることによって、便器１０の内壁全体に均一に殺菌水を噴射することができる。通常の便器１０の大きさと殺菌水噴射装置１００の装着位置を考慮すると、前方に２０°以上傾くように設置することが好ましい。又は、殺菌水噴射装置１００は、ビデノズルのように、ビデ本体３０の前方に移動可能なように設置されてもよい。この場合は、噴射ホールを前方に向けて傾くように設置する必要はない。殺菌水噴射装置１００も、操作部８０により噴射動作が行われるようにすることができる。即ち、操作部８０に便器殺菌というボタンを設け、使用者が便器殺菌ボタンを押すと、殺菌水噴射装置１００が殺菌水を噴射するようにすることができる。
【００３７】
図２は、本発明の一実施形態による殺菌水噴射装置１００の分解斜視図であり、図３ａ及び３ｂは、殺菌水噴射装置１００の側断面図であり、図４は、殺菌水噴射装置１００の胴体部の底面図である。
【００３８】
図２乃至図４を参照すると、殺菌水噴射装置１００は、胴体部１２０とノズル部１４０を含んでいる。
【００３９】
胴体部１２０は、内部に殺菌水が流れるように中空部１２１が設けられており、上端には流入口１２２が形成され、下部には流出口１２３が形成されている。胴体部１２０の上端の流入口１２２を通じて流入した殺菌水は、中空部１２１を経て流出口１２３を通じて排出される。
【００４０】
中空部１２１は、胴体部１２０の上部から下部に長手方向に延長し、流出口１２３は、胴体部１２０の下部で半径方向に延長して中空部１２１と流体連通される。従って、殺菌水は、中空部１２１の上部から下部に流れる途中で半径方向に排出される。流出口１２３は、胴体部１２０の下部の回りに沿って複数形成することができ、図示された例には、２つの流出口１２３が対向するように配置されている。
【００４１】
流出口１２３が配置されたところの下方、即ち胴体部１２０の最下端には、流出口１２３が配置された部分より直径の大きい突出部１２４が形成される。突出部１２４は円筒状であり、底面が凹状に形成されてノズル部１４０とともに渦流発生室１３０を形成する。突出部１２４の側壁には、流出口１２３を通じて排出された殺菌水が流入するように案内溝１２５が形成される。突出部１２４の側壁から始まった案内溝１２５は、突出部１２４の内部に延長し、突出部１２４の中心から離隔されたところに向けて形成される。これは、案内溝１２５に沿って流入する殺菌水に回転力を付与して渦流を形成するためである。案内溝１２５は、側壁から内部に行くほど幅が狭くなるように形成される。これによって、案内溝１２５に沿って渦流発生室１３０内に流入する殺菌水を高圧・高速で流動させ、強い渦流を形成することができる。案内溝１２５は、渦流発生室１３０の中心に対して対称に複数形成されるものであってもよい。図示された例には、２つの案内溝１２５が対向するように形成されている。
【００４２】
胴体部１２０にはブラケット１２６が設置されており、これによって、ビデ本体３０の前方にネジなどによって結合することができる。
【００４３】
ノズル部１４０は、胴体部１２０の下部に結合される部材であって、円筒状に形成される。ノズル部１４０の底面の中心には、噴射ホール１４１が形成される。ノズル部１４０の底面内側は、突出部１２４の凹状に形成された部分とともに渦流発生室１３０を形成する。ノズル部１４０の底面外側は、噴射ホール１４１から遠ざかるほど厚さが厚くなるテーパ状に形成することができる（図３ｂ参照）。ノズル部１４０の底面外側をテーパ状で形成するのは、殺菌水の噴射角を大きくするために噴射ホール１４１の長さＢを短くすることが要求されるが（これについては後述する）、噴射ホール１４１の長さＢと同様にノズル部１４０の底面全体の厚さを全て小さくすると、ノズル部１４０の底面の剛性が弱くなるという問題があるため、噴射ホール１４１の長さＢは短くし、厚さは外側に行くほど厚くなるようにするためである。
【００４４】
このように構成された殺菌水噴射装置１００の作動方法を説明すると、次の通りである。
【００４５】
胴体部１２０の上端の流入口１２２を通じて流入した殺菌水は、中空部１２１を経て、胴体部１２０の下部に設けられた流出口１２３を通じて胴体部１２０の半径方向に排出される。流出口１２３を通じて排出された殺菌水は、胴体部１２０の最下端に設けられた突出部１２４の案内溝１２５に沿って渦流発生室１３０内に流入する。案内溝１２５は、渦流発生室１３０の側壁から渦流発生室１３０の中心以外の方向に延長するように形成されており、案内溝１２５に沿って流入する殺菌水は、渦流発生室１３０の中心に対して回転する渦流を形成するようになる。特に、案内溝１２５は、内部に行くほど幅が狭くなるので、案内溝１２５に沿って流れる殺菌水は高圧・高速で流動して強い渦流が形成され、また、案内溝１２５は互いに対向するように複数配置されるので、複数の箇所で渦流が発生して互いに補完される。渦流発生室１３０で渦流が発生した殺菌水は、ノズル部１４０の底面の中心に配置された噴射ホール１４１を通じて外部に吐出される。この時、外部に吐出される殺菌水は、渦流が形成された殺菌水が高圧で噴射ホール１４１を通過するので、微細粒子となって外部に噴霧される。
【００４６】
このように、表面積の大きい微細粒子の形態で殺菌水を噴霧すると、殺菌水が便器の内壁と接触する面積が大きくなり、少量でも殺菌効果を高めることができるという利点がある。
【００４７】
一方、１つの殺菌水噴射装置１００により殺菌水を便器１０の内壁全面に噴射するためには、噴射ホール１４１から噴射される殺菌水の噴射角と噴射速度を適切に設定する必要がある。即ち、噴射角と噴射速度が大きいほど殺菌水を広く噴射することができる。噴射角が小さいと噴射範囲が小さくなって局部的な噴射が行われ、噴射速度が小さいと噴射される殺菌水が遠くまで伸びることができないためである。
【００４８】
従って、殺菌水が便器１０の内壁全面に噴射されるように、殺菌水の噴射角と噴射速度を大きくする必要があり、そのため、殺菌水噴射装置１００に対する最適な設計を行う必要がある。本発明者は、実験を通じて、渦流発生室１３０の高さＡと、噴射ホール１４１の長さＢと、噴射ホール１４１の直径Ｃと、案内溝１２５の幅Ｄとが、噴射角と噴射速度に影響を及ぼすパラメーターであることを明らかにした。
【００４９】
本発明者等は、これらのパラメーターが噴射角と噴射速度に及ぼす影響を見出すために、多様なパラメーター値に対する流動解釈シミュレーションを行った。その結果は、次の通りである。
【００５０】
【表１】
2010242486.tif 000003
【００５１】
上記表１を参照すると、１番の場合、噴射角と噴射速度が最も大きく、２番の場合、Ｃを大きくしたところ噴射角と噴射速度が小さくなり、３番の場合、Ａを大きくしたところ噴射角と噴射速度が小さくなり、４番乃至６番の場合、Ｂを大きくしたところ噴射角と噴射速度がさらに小さくなったことが分かる。従って、パラメーターＡ、Ｂ、Ｃが小さいほど噴射角と噴射速度が大きくなる、反比例の関係が成立するということが理論的に分かった。
【００５２】
本発明者等は、噴射角及び噴射速度がパラメーター値に反比例するという結果に基づき、噴射角及び噴射速度が所定値以上（例えば、噴射角が１００°以上）になるためのパラメーターの上限を決定するために、実際に実験を行った。その結果は、次の通りである。
【００５３】
【表２】
2010242486.tif 000004
【００５４】
上記表２の２番乃至４番を参照すると、Ｂ、Ｃ、Ｄが同一である場合、Ａが０．３ｍｍ以下である時までは、噴射角が１００°以上であって噴射範囲が便器内壁の９０％以上となるが、Ａが０．５ｍｍである場合は、噴射角が２０°以下、噴射範囲が１０％未満となることが分かる。従って、噴射角が１００°以上、噴射範囲が９０％以上になるためには、Ａは、０．３ｍｍ以下でなければならない。
【００５５】
上記表２の２番、６番乃至８番を参照すると、Ａ、Ｃ、Ｄが同一である場合、Ｂが０．３ｍｍ以下である時までは、噴射角が１００°以上であって噴射範囲が９０％以上となるが、Ｂが０．５ｍｍ以上である場合は、噴射角が２０°以下、噴射範囲が１０％未満となることが分かる。従って、噴射角が１００°以上、噴射範囲が９０％以上になるためには、Ｂは、０．３ｍｍ以下でなければならない。
【００５６】
上記表２の２番、１２番乃至１４番を参照すると、Ａ、Ｂ、Ｄが同一である場合、Ｃが１．５ｍｍ以下である時までは、噴射角が１００°以上であって噴射範囲が９０％以上となるが、Ｃが１．７ｍｍの場合は、噴射角が２０°以下、噴射範囲が１０％未満となることが分かる。従って、噴射角が１００°以上、噴射範囲が９０％以上になるためには、Ｃは、１．５ｍｍ以下でなければならない。
【００５７】
上記表２の２番、１５番、１６番を参照すると、Ａ、Ｂ、Ｃが同一である場合、Ｄが０．７ｍｍ以下である時までは噴射角が１００°以上であって噴射範囲が９０％以上となるが、Ｄが１ｍｍの場合は、噴射角が２０°以下となることが分かる。従って、噴射角が１００°以上、噴射範囲が９０％以上になるためには、Ｄは、０．７ｍｍ以下でなければならない。
【００５８】
上記表２の１番を参照すると、Ａ、Ｂ、Ｃ、Ｄが最も小さな場合は、噴射角が１４０°以上、噴射範囲が９９％となることが分かる。しかし、残りの５番、９番乃至１１番、１７番乃至２０番は何れもＡ、Ｂ、Ｃ、Ｄのうち少なくとも１つが範囲を超過した場合であって、噴射角が２０°以下、噴射範囲が１０％未満となる。参考として、上記表２の噴射角において「異常水流」と表記したのは、水の方向が変わって噴射される場合であり、その噴射範囲は非常に小さい。
【００５９】
以上の結果により、噴射角が１００°以上、噴射範囲が９０％以上になるために、渦流発生室１３０の高さＡは０．３ｍｍ以下、噴射ホール１４１の長さＢは０．３ｍｍ以下、噴射ホール１４１の直径Ｃは１．５ｍｍ以下、案内溝１２５の幅Ｄは０．７ｍｍ以下でなければならないことが分かる。
【００６０】
一方、これらのパラメーターは、小さいほど噴射角を大きくすることができるものの、実際の成形の限界と費用を考慮すると、０．１ｍｍ以下に製作することは困難であり、製作可能であっても効果の差は大きくない。
【００６１】
また、この実験結果は、渦流発生室１３０内の殺菌水の圧力が１．２ｋｇ／ｃｍ２以上である場合に得られるものであり、圧力がそれ以下である場合は、この実験結果のような大きい噴射角と噴射範囲は得られない。このように、渦流発生室１３０内の殺菌水の圧力を所定値以上に保つためには、噴射ホール１４１の大きさを流入口１２２の大きさよりも小さく設計することが好ましい。但し、殺菌水の圧力が過度に大きい場合は、部品が破損する危険があるので、殺菌水の圧力は５ｋｇ／ｃｍ２を超過しないことが好ましい。
【００６２】
図５は、本発明の一実施形態による殺菌水噴射装置１００の給水システムの構成図を図示したものである。
【００６３】
図５を参照すると、給水システムは、流路制御装置３００を通じて原水を各構成要素に分配するように構成される。原水は、水道管または給水タンク４００により供給することができる。
【００６４】
使用者が洗浄またはビデ機能を行うと、原水は洗浄ノズル６２またはビデノズル６４に供給され、ノズルにより洗浄水が噴射される。
【００６５】
使用者がノズルチップ洗浄機能を行うと、原水は、殺菌水生成装置２００を経由しながら殺菌水になった後に、ノズルチップ洗浄部６６に供給される。ノズルチップ洗浄部６６に供給された殺菌水は、ノズルチップに噴射されてノズルチップを洗浄する。
【００６６】
使用者が便器殺菌機能を行うと、原水は、殺菌水生成装置２００に供給され、殺菌水生成装置２００で殺菌水となる。所定の時間が経過して所望する量の殺菌水が生成されると、殺菌水生成装置２００に連結されたポンプ２４０が作動して、殺菌水が殺菌水噴射装置１００に流入する。殺菌水噴射装置１００に流入した殺菌水は、便器１０の内壁に噴霧されて便器１０に対する殺菌が行われる。殺菌水噴射装置１００が殺菌水を噴霧形態で噴射する過程は、図２乃至図４を参照して上述した通りである。
【００６７】
ノズルチップを洗浄する時には、別途にポンプを設置せずに原水圧により微量の殺菌水をノズルチップのみに噴射すればよい。しかし、便器を殺菌する時には、便器の内壁全体に殺菌水を噴霧しなければならないため、ポンプを駆動して殺菌水を噴霧するものである。但し、上述したように、本発明による殺菌水噴射装置１００は、微細粒子の形態で殺菌水を噴霧するので、便器の内壁全体を殺菌するのに少量の殺菌水（例えば、５０ｍｌ程度）を必要とするのみである。従って、低容量のポンプであれば十分であり、例えば低騒音・高揚程のダイヤフラム式ポンプを適用することができる。
【００６８】
図６は、ポンプ２４０の他の例を図示したものである。図６を参照すると、ポンプ２４０は、電動モータ２４１と、電動モータ２４１に結合されて電動モータ２４１の回転速度を減速させるように多数のギアを備えた減速ギア部２４２と、減速ギア部２４２に一側が結合されて関節運動する多数のリンク部材２４３とを備える。リンク部材２４３の他側には、リンク部材２４３の関節運動により往復運動するポンピングユニット２４４がさらに備えられる。ポンピングユニット２４４は、リンク部材２４３により往復運動しながら瞬間的にポンピングして、殺菌水生成装置２００の殺菌水を殺菌水噴射装置１００に供給することができる。このように、殺菌水噴射装置１００に瞬間的に圧力をかけて殺菌水を供給することにより、殺菌水噴射装置１００を通過した殺菌水を、噴射ホール１４１を通じて微細な大きさの粒子で噴霧することができる。
【００６９】
殺菌水生成装置２００には、電気的な力と酸化ルテニウム触媒電極を用いて水自体で殺菌物質（混合酸化物：ＭＯ）を生成する、電極方式モジュールを使用することができる。電極方式により殺菌水を生成することは、公知の事項であるため、詳細な説明は省略する。
【００７０】
殺菌水生成装置２００の流入側には、反応物質添加装置２２０を連結することができる。反応物質添加装置２２０により、殺菌水生成装置２００に流入する水に反応物質を添加して、殺菌水生成装置２００で生成される殺菌物質の量を増大させることができる。反応物質としては、固体状態のＮａＣｌを適用することができる。
【００７１】
反応物質は、反応物質添加装置２２０の内部に収容され、反応物質添加装置２２０の内部に流入する水に混合されて、殺菌水生成装置２００に流入する。殺菌水生成装置２００では、ＮａＣｌが混合された水に電気を印加して、殺菌物質であるＨＯＣｌ−またはＯＣｌ−イオンを生成する。ＮａＣｌのほか、塩素系列、酸化銀、ヨード系列などの物質を殺菌水生成装置２００に流入させることができる。
【００７２】
図７は、本発明の一実施形態による殺菌水噴射装置１００が、便器１０の内壁に殺菌水を噴霧する状態を図示したものである。図７に図示するように、ビデ本体３０の前方に取り付けられた殺菌水噴射装置１００は、広い噴射角で殺菌水を噴霧し、便器１０の内壁全面に殺菌水が塗布される。
【００７３】
上述した実施形態では、殺菌水噴射装置１００と殺菌水生成装置２００がビデ２０に設置されるものとして説明したが、殺菌水噴射装置１００と殺菌水生成装置２００は、便座４０に設置して使用してもよい。殺菌水噴射装置１００と殺菌水生成装置２００は、便座４０の後方に設置することができ、ビデ２０に設置した場合と同様に、噴射ホール１４１が直下方から２０°以上前方に向けて傾くように設置することが好ましい。また、通常、便座４０には電気が供給されないため、溶解方式により殺菌水を生成する殺菌水生成装置２００を設置する。
【００７４】
殺菌水噴射装置を便座に結合した製品は、ビデを使用しなくても便器殺菌機能を所望する使用者に有用に用いられるものである。
【符号の説明】
【００７５】
１０：便器、２０：ビデ、１００：殺菌水噴射装置、１２０：胴体部、１２１：中空部、１２２：流入口、１２３：流出口、１２４：突出部、１２５：案内溝、１２６：ブラケット、１３０：渦流発生室、１４０：ノズル部、１４１：噴射ホール、２００：殺菌水生成装置、２４０：ポンプ
【図１】
2010242486.tif 000005
【図２】
2010242486.tif 000006
【図３ａ】
2010242486.tif 000007
【図３ｂ】
2010242486.tif 000008
【図４】
2010242486.tif 000009
【図５】
2010242486.tif 000010
【図６】
2010242486.tif 000011
【図７】
2010242486.tif 000012